(57)【要約】【課題】設置側の部材に対して接触しないとともに設置側の部材との摩擦力を軽減でき電気部品の損傷を防止できる照明器具を提供する。【解決手段】照明器具１０は、光源１１と、光源１１を取り付ける器具本体１２と、器具本体１２の上部に設けた天板１３と、回路ブロック１５を取り付ける取付板１４と、取付板１４と天板１３とを連結する弾性体１７と、取付板１４の先端部に配置されたローラー１８とを備える。【選択図】図１
2012028126.tif 000002
【特許請求の範囲】
【請求項１】
光源と、
前記光源を取り付ける器具本体と、
前記器具本体の上部に設けた天板と、
回路ブロックを取り付ける取付板と、
前記取付板と前記天板とを連結する弾性体と、
前記取付板の先端部に配置されたローラーとを備える照明器具。
【発明の詳細な説明】
【技術分野】
【０００１】
本発明は、回路ブロックを取付板に取り付けて天井面に埋設されるダウンライト等に適用される照明器具に関する。
【背景技術】
【０００２】
従来より、器具本体の天板に、安定器等の回路ブロックを取り付けた取付板を回動可能に連結した照明器具が知られている（例えば、特許文献１参照）。
【先行技術文献】
【特許文献】
【０００３】
【特許文献１】特開２００８−２０４７３７号公報（図１、段落００１１）
【発明の概要】
【発明が解決しようとする課題】
【０００４】
前述した特許文献１に記載された照明器具は、取付板が天井材に有する埋設孔から挿入されていき、取付板が器具本体の天板に対して回動され、取付板の端部に有する脚が天井材の上面に接地されることにより天井材に取り付けられる。
ところで、図８に示すように、器具本体１０１の天板１０２の端部が、安定器等の回路ブロック１０３および電源端子台１０４を取り付けた取付板１０５の端部に枢支部１０６により回動可能に連結された照明器具１００が提案されている。
【０００５】
このような従来の照明器具１００は、天井材１と天井材１の上方の天井裏梁２との間の空間３に回路ブロック１０３および電源端子台１０４を取り付けた取付板１０５が挿入され、天井材１に形成されている埋設孔４に器具本体１０１が取り付けられる。
【０００６】
このような従来の照明器具１００は、図９，図１０，図１１に示す取付手順により天井材１に設置される。すなわち、図９において、上方に位置された取付板１０５が天井材１の埋設孔４を介して天井材１の上方の天井裏梁２との間の空間３に挿入され、図１０において、取付板１０５が天井材１の空間３の奥方に押し込まれていき、図１１において、取付板１０５が天井材１の上面上に配置されてから、器具本体１０１が埋設孔４に取り付けられる。
【０００７】
しかし、このような従来の照明器具１００は、以下に記載する３つの課題を有する。
課題の１つ目は、図９において、取付板１０５が天井材１の上方の天井裏梁２との間の空間３に挿入されていく際に、回路ブロック１０３および電源端子台１０４の重量により取付板１０５が下方に向けて回動されて回路ブロック１０３が天井材１に接触してしまうために、取付板１０５を上方に向けて強制的に押圧することになって取付板１０５をスムースに挿入させることができないことである。
【０００８】
課題の２つ目は、図１０において、取付板１０５が天井材１の空間３の奥方に押し込まれていく際に、回路ブロック１０３および電源端子台１０４の重量により取付板１０５が下方に向けて回動されているために、電源端子台１０４から引き出されている電気部品であるケーブル１０７が天井材１に接触しないようにするために、取付板１０５を上方に向けて強制的に押圧することになって取付板１０５をスムースに挿入させることができないことである。
【０００９】
課題の３つ目は、図１１において、取付板１０５が天井材１の上面上に配置された際に、回路ブロック１０３および電源端子台１０４の重量により取付板１０５が下方に向けて回動されているために、回路ブロック１０３や電源端子台１０４が電源端子台１０４から引き出されているケーブル１０７を抑えつけるようにケーブル１０７上に乗っかってしまうことである。
【００１０】
本発明は、前述した課題を解決するためになされたものであり、その目的は、設置側の部材に対して接触しないとともに設置側の部材との摩擦力を軽減でき電気部品の損傷を防止できる照明器具を提供することにある。
【課題を解決するための手段】
【００１１】
本発明に係る照明器具は、光源と、光源を取り付ける器具本体と、器具本体の上部に設けた天板と、回路ブロックを取り付ける取付板と、取付板と天板とを連結する弾性体と、取付板の先端部に配置されたローラーとを備える。
【発明の効果】
【００１２】
本発明に係る照明器具によれば、設置側の部材に対して接触しないとともに設置側の部材との摩擦力を軽減でき電気部品の損傷を防止できるという効果を奏する。
【図面の簡単な説明】
【００１３】
【図１】本発明に係る一実施形態の照明器具の設置場所への取付前の側面図
【図２】図１の照明器具における弾性体周りの側面図
【図３】図１の照明器具における取付板周りの側面図
【図４】図３の取付板の正面図
【図５】図３の取付板のローラー軸周りの側面図
【図６】図１の照明器具の設置場所への取付手順の第１段階の側面図
【図７】図１の照明器具の設置場所への取付手順の第２段階の側面図
【図８】従来の照明器具の設置場所への取付前の側面図
【図９】従来の照明器具の設置場所への取付手順の第１段階の側面図
【図１０】従来の照明器具の設置場所への取付手順の第２段階の側面図
【図１１】従来の照明器具の設置場所への取付手順の第３段階の側面図
【発明を実施するための形態】
【００１４】
以下、本発明に係る一実施形態の照明器具について図面を参照して説明する。
図１に示すように、本発明に係る一実施形態の照明器具１０は、光源である複数のＬＥＤユニット１１と、ＬＥＤユニット１１を収容した器具本体１２と、器具本体１２の上部に取り付けられた天板１３と、回路ブロック１５および電源端子台１６を取り付けた取付板１４と、取付板１４と天板１３とを連結する弾性体１７と、取付板１４の先端部に配置されたローラー１８とを備えて、設置場所である天井材１と天井材１の上方の天井裏梁２との間の空間３に回路ブロック１５および電源端子台１６を取り付けた取付板１４が挿入され、天井材１に形成されている埋設孔４に器具本体１２が取り付けられるダウンライトである。
【００１５】
天板１３は、比較的薄い金属製板部材から形成されており、器具本体１２の上端面にねじ止めされている。天板１３は、その端部に弾性体取付部１９を有する。
取付板１４は、天板１３と同等の比較的薄い金属製板部材から形成されており、平面状の本体部２０を有する。本体部２０は、その一端部に弾性体取付部２１を有し、その他端部にローラー支持部２２を有する。本体部２０は、ローラー支持部２２から本体部２０に対してほぼ９０度屈曲して延出された脚板部２３を有する。
【００１６】
回路ブロック１５および電源端子台１６は、取付板１４の下面に並べて取り付けられている。電源端子台１６には、不図示の外部回路からのケーブル２４が引き出されている。回路ブロック１５は、ケーブル２４を通じて与えられた電力をＬＥＤユニット１１用に変換してＬＥＤユニット１１に給電する。
【００１７】
次に、弾性体１７について説明する。
図２に示すように、弾性体１７は、天板１３の弾性体取付部１９と、取付板１４の本体部２０の弾性体取付部２１との突き合わせ部分において、弾性体取付部１９に挿通されたリベット２５と、弾性体取付部２１に挿通されたリベット２６とにより天板１３と取付板１４とを連結している。弾性体１７は、板形状に形成された板ばね等の弾性部材であって、図２に示す逆さへ字状態の中心を介して、天板１３に対して取付板１４を天井材１から離れる反時計回転方向に常時付勢している。
【００１８】
次に、ローラー１８について説明する。
図３に示すように、ローラー１８は、例えば硬質や軟質のゴム等の弾性部材を用いて円筒形状に形成されており、取付板１４の本体部２０の他端部のローラー支持部２２において、取付板１４の本体部２０から突出した状態でローラー軸２７により回転可能に取り付けられている。
図４および図５に示すように、ローラー１８は、脚板部２３の上端部に形成された切欠２８内に収容されており、切欠２８の両側に形成された一対のフランジ２９，２９に挿通されたローラー軸２７により支持されている。
【００１９】
次に、照明器具１０の設置場所への取付手順について説明する。
図６に示すように、取付板１４と器具本体１２とが天井材１の埋設孔４の下方から取付板１４を空間３に対して斜めに向けて進行されていく。
このとき、取付板１４は弾性体１７により天板１３に対して天井材１から離れる反時計回転方向に付勢されているために、ローラー１８が天井材１の上方の天井裏梁２に当接し、取付板１４は天井裏梁２に直接接触しない。
器具本体１２が天井材１の埋設孔４に向けて押圧により進行されていくことにより、ローラー１８の回転に伴って取付板１４は天井材１の空間３の奥方に押し込まれていく。
【００２０】
このとき、取付板１４は天井裏梁２に直接接触しないために摩擦力を軽減できる。また、回路ブロック１５および電源端子台１６は、取付板１４が弾性体１７により天板１３に対して天井材１から離れる反時計回転方向に付勢されているために、天井材１の上面から離れた位置で天井材１の空間３の奥方に押し込まれていくことにより、取付板１４を上方に向けて強制的に押圧することなく、電源端子台１６から引き出されているケーブル２４を天井材１に接触させることがない。
【００２１】
図７に示すように、取付板１４が天井材１の空間３の奥方に押し込まれていった後に、天井材１の埋設孔４に挿入された器具本体１２が天井材１に固定される。このとき、取付板１４が弾性体１７により天板１３に対して天井材１から離れる反時計回転方向に付勢されているために、回路ブロック１５および電源端子台１６は、天井材１の上面から離れた位置に配置される。そのため、電源端子台１６から引き出されているケーブル２４に回路ブロック１５や電源端子台１６が乗っかることがないのでケーブル２４への損傷を防止できる。
【００２２】
以上、説明した本発明に係る一実施形態の照明器具１０は、取付板１４が弾性体１７により天板１３に対して天井材１から離れる反時計回転方向に付勢されているために、ローラー１８が天井材１の上方の天井裏梁２に当接し、取付板１４が天井裏梁２に直接接触しないために摩擦力を軽減できる。
【００２３】
また、本発明に係る一実施形態の照明器具１０は、回路ブロック１５および電源端子台１６は、取付板１４が弾性体１７により天板１３に対して天井材１から離れる反時計回転方向に付勢されているために、天井材１の上面から離れた位置で天井材１の空間３の奥方に押し込まれていくことにより取付板１４を上方に向けて強制的に押圧する必要がない。
【００２４】
さらに、本発明に係る一実施形態の照明器具１０は、取付板１４が弾性体１７により天板１３に対して天井材１から離れる反時計回転方向に付勢されているために、回路ブロック１５および電源端子台１６が天井材１の上面から離れた位置に配置されて電源端子台１６から引き出されているケーブル２４に回路ブロック１５や電源端子台１６が乗っかることがないのでケーブル２４への損傷を防止できる。
【００２５】
なお、本発明の照明器具は、前述した実施形態に限定されるものでなく、適宜な変形や改良等が可能である。
【符号の説明】
【００２６】
１０  照明器具
１１  ＬＥＤユニット（光源）
１２  器具本体
１３  天板
１４  取付板
１５  回路ブロック
１７  弾性体
１８  ローラー
【図１】
2012028126.tif 000003
【図２】
2012028126.tif 000004
【図３】
2012028126.tif 000005
【図４】
2012028126.tif 000006
【図５】
2012028126.tif 000007
【図６】
2012028126.tif 000008
【図７】
2012028126.tif 000009
【図８】
2012028126.tif 000010
【図９】
2012028126.tif 000011
【図１０】
2012028126.tif 000012
【図１１】
2012028126.tif 000013